(57)【特許請求の範囲】
【請求項１】
受付端末とサーバとスタッフ端末とが所定のネットワークを介して接続され、フィットネスクラブにより運営される施設のスタッフによる、フィットネスクラブの会員である施設の利用者への声掛けを支援する声掛け支援システムであって、
前記受付端末は、施設の利用者が施設に来館したことを検出し、当該利用者が来館したことを示す来館情報を前記サーバに送信し、
前記サーバは、
各利用者の来館履歴を含む利用者情報を予め記憶する利用者情報記憶手段と、
前記来館履歴に基づいて、来館頻度が減少傾向を示すほど値が高くなるように各利用者の優先度を定期的に算出し、前記利用者情報に書き込む優先度算出手段と、
前記受付端末から送信された来館情報により示される利用者が、現在、来館中であることを示す来館中情報を前記利用者情報に書き込む利用者管理手段と、
前記利用者情報に書き込まれた来館中情報を基に、現在、施設に来館している来館利用者を特定する特定手段と、
前記来館利用者の中から優先度が高い順に規定人数の来館利用者を声掛け対象者として抽出する抽出手段と、
前記抽出手段により抽出された声掛け対象者を示す声掛け対象者情報を生成し、前記スタッフ端末に送信する通信手段とを備え、
前記スタッフ端末は、前記サーバから送信された声掛け対象者情報を基に、声掛け対象者をスタッフに報知することを特徴とする声掛け支援システム。
【請求項２】
前記利用者情報は、前記利用者の顔の画像データを含み、
前記抽出手段は、顔の画像データが前記利用者情報に含まれている来館利用者の中から、前記声掛け対象者を抽出し、
前記通信手段は、各来館利用者の顔の画像データを前記声掛け対象者情報に含ませて前記スタッフ端末に送信し、
前記スタッフ端末は、前記声掛け対象者を顔の画像と併せてスタッフに報知することを特徴とする請求項１記載の声掛け支援システム。
【請求項３】
来館利用者により所持され、当該来館利用者の識別情報を送信する近接無線装置と、
前記施設内の所定の位置に配置され、前記近接無線装置から送信される識別情報を受信することで、近傍にいる来館利用者を検出する複数の検出装置とを更に備え、
前記サーバは、ある来館利用者を検出した検出装置が設置されている施設内の位置によって、当該来館利用者の現在位置を特定する位置特定手段を更に備え、
前記抽出手段は、前記位置特定手段により現在位置が特定された来館利用者の中から、前記声掛け対象者を抽出し、
前記通信手段は、各声掛け対象者の位置情報を前記声掛け対象者情報に含ませて前記スタッフ端末に送信し、
前記スタッフ端末は、前記声掛け対象者を現在位置と併せてスタッフに報知することを特徴とする請求項１又は２記載の声掛け支援システム。
【請求項４】
前記抽出手段は、施設に来館してからの時間が規定時間以内の来館利用者中から、前記声掛け対象者を抽出することを特徴とする請求項１〜３のいずれかに記載の声掛け支援システム。
【請求項５】
前記スタッフ端末は、ある声掛け対象者に対して声掛けを実施したことを示す操作指示がスタッフから入力された場合、当該声掛け対象者に対して声掛けを実施したことを示す声掛け実施情報を前記サーバに送信し、
前記優先度算出手段は、前記スタッフ端末から声掛け実施情報が送信された場合、前記声掛け実施情報により示される声掛け対象者の優先度を初期値に戻し、声掛けが実施されてから一定期間、優先度を算出しないことを特徴とする請求項１〜４のいずれかに記載の声掛け支援システム。
【請求項６】
前記利用者情報は、各利用者の施設の利用目的を示す利用目的情報と、各利用者の年齢を示す年齢情報とを含み、
前記通信手段は、前記声掛け対象者の利用目的情報及び年齢情報を前記声掛け対象者情報に含ませて前記スタッフ端末に送信し、
前記スタッフ端末は、利用目的及び年齢の少なくともいずれか一方が、特定の条件を満たす声掛け対象者を抽出するための操作指示がスタッフから入力された場合、該当する声掛け対象者を抽出してスタッフに報知することを特徴とする請求項１〜５のいずれかに記載の声掛け支援システム。
【請求項７】
前記スタッフ端末は、ある声掛け対象者に対して声掛けを実施したことを示す操作指示がスタッフから入力される際に、次回の来館時にも声掛けを実施することを示す操作指示が入力された場合、次回の来館時に声掛けを実施することを示す次回声掛け実施情報を前記声掛け実施情報に含ませて前記サーバに送信し、
前記利用者管理手段は、前記声掛け実施情報に次回声掛け実施情報が含まれている場合、当該次回声掛け実施情報を前記利用者情報に書き込み、
前記抽出手段は、前記次回声掛け実施情報が前記利用者情報に含まれている来館利用者を、優先度にかかわらず前記声掛け対象者として抽出することを特徴とする請求項５記載の声掛け支援システム。
【請求項８】
前記スタッフ端末は、次回の声掛け対象者を抽出する操作指示がスタッフから入力された場合、当該声掛け対象者を抽出してスタッフに報知することを特徴とする請求項７記載の声掛け支援システム。
【請求項９】
前記優先度算出手段は、
会員登録されてから第１の規定日数が経過していない利用者については、前記優先度の算出日が登録日に近いほど優先度を高く設定する第１のパラメータと、
前回の施設の来館日からの日数が第２の規定日数を経過している利用者については、経過日数が増大するにつれて優先度を高く設定する第２のパラメータと、
先月の施設の利用回数が所定回数未満の利用者については、先月の利用回数が少ないほど優先度を高く設定する第３のパラメータと、
先月の施設の利用回数が先々月の施設の利用回数よりも少ない利用者については、先々月の施設の利用回数が少ないほど優先度を高く設定する第４のパラメータとのうち、少なくともいずれか２つのパラメータの値を重み付け加算することで前記優先度を算出することを特徴とする請求項１〜８のいずれかに記載の声掛け支援システム。
【請求項１０】
フィットネスクラブの会員である利用者がフィットネスクラブにより運営される施設に来館したことを検出する受付端末とサーバとスタッフ端末とが所定のネットワークを介して接続され、前記施設のスタッフによる、前記施設の利用者への声掛けを支援する声掛け支援システムのサーバであって、
各利用者の来館履歴を含む利用者情報を予め記憶する利用者情報記憶手段と、
前記受付端末から送信された前記利用者が来館したことを示す来館情報に基づいて、来館頻度が減少傾向を示すほど値が高くなるように各利用者の優先度を定期的に算出し、前記利用者情報に書き込む優先度算出手段と、
前記受付端末から送信された来館情報により示される利用者が、現在、来館中であることを示す来館中情報を前記利用者情報に書き込む利用者管理手段と、
前記利用者情報に書き込まれた来館中情報を基に、現在、施設に来館している来館利用者を特定する特定手段と、
前記来館利用者の中から優先度が高い順に規定人数の来館利用者を声掛け対象者として抽出する抽出手段と、
前記抽出手段により抽出された声掛け対象者を示す声掛け対象者情報を生成し、前記スタッフ端末に送信する通信手段とを備えることを特徴とするサーバ。
【請求項１１】
フィットネスクラブの会員である利用者がフィットネスクラブにより運営される施設に来館したことを検出する受付端末とサーバとスタッフ端末とが所定のネットワークを介して接続され、前記施設のスタッフによる、前記施設の利用者への声掛けを支援する声掛け支援システムのサーバとしてコンピュータを機能させるサーバプログラムであって、
前記サーバは、各利用者の来館履歴を含む利用者情報を予め記憶する利用者情報記憶手段を備え、
前記受付端末から送信された前記利用者が来館したことを示す来館情報に基づいて、来館頻度が減少傾向を示すほど値が高くなるように各利用者の優先度を定期的に算出し、前記利用者情報に書き込む優先度算出手段と、
前記受付端末から送信された来館情報により示される利用者が、現在、来館中であることを示す来館中情報を前記利用者情報に書き込む利用者管理手段と、
前記利用者情報に書き込まれた来館中情報を基に、現在、施設に来館している来館利用者を特定する特定手段と、
前記来館利用者の中から優先度が高い順に規定人数の来館利用者を声掛け対象者として抽出する抽出手段と、
前記抽出手段により抽出された声掛け対象者を示す声掛け対象者情報を生成し、前記スタッフ端末に送信する通信手段としてコンピュータを機能させることを特徴とするサーバプログラム。
【請求項１２】
受付端末とサーバとスタッフ端末とが所定のネットワークを介して接続された声掛け支援システムを用いて、フィットネスクラブにより運営される施設のスタッフによる、フィットネスクラブの会員である施設の利用者への声掛けを支援する声掛け支援方法であって、
前記サーバは、各利用者の来館履歴を含む利用者情報を予め記憶する利用者情報記憶手段を備え、
前記受付端末が、施設の利用者が施設に来館したことを検出し、当該利用者が来館したことを示す来館情報を前記サーバに送信するステップと、
前記サーバが、前記来館履歴に基づいて、来館頻度が減少傾向を示すほど値が高くなるように各利用者の優先度を定期的に算出し、前記利用者情報に書き込むステップと、
前記サーバが、前記受付端末から送信された来館情報により示される利用者が、現在、来館中であることを示す来館中情報を前記利用者情報に書き込むステップと、
前記サーバが、前記利用者情報に書き込まれた来館中情報を基に、現在、施設に来館している来館利用者を特定するステップと、
前記サーバが、前記来館利用者の中から優先度が高い順に規定人数の来館利用者を声掛け対象者として抽出するステップと、
前記サーバが、前記抽出ステップにより抽出された声掛け対象者を示す声掛け対象者情報を生成し、前記スタッフ端末に送信するステップと、
前記スタッフ端末が、前記サーバから送信された声掛け対象者情報を基に、声掛け対象者をスタッフに報知するステップとを備えることを特徴とする声掛け支援方法。 
【発明の詳細な説明】
【技術分野】
【０００１】
本発明は、フィットネスクラブにより運営される施設のスタッフによる施設の利用者への声掛けを支援する技術に関するものである。
【背景技術】
【０００２】
近年、フィットネスクラブでは、一度、入会した利用者による退会をいかにして抑制するかが大きな課題となっている。そこで、単に筋肉を強化するためのトレーニングマシンを設置するだけでなく、トレーニングマシンとサーバとを所定のネットワークを介して接続し、種々のサービスを利用者に提供する試みがなされている。
【０００３】
例えば、特許文献１には、フィットネスクラブの利用者が携帯する携帯式運動計測器により計測された運動データから利用者の目標総消費カロリーに対する残消費カロリーを算出し、算出した残消費カロリーを現在不使用中の運動機器に分配し、分配結果と残消費カロリーとを利用者に報知する技術が開示されている。
【０００４】
ところで、利用者の退会の抑制を図るうえでは、フィットネスクラブのスタッフがフィットネスクラブに来館した利用者に声を掛ける、いわゆる声掛けを実施することが効果的である。特に、フィットネスクラブへの来館頻度が減少傾向にある利用者に対して声掛けを行えば、当該利用者に退会を断念させることができる可能性を高めることができる。
【０００５】
そのため、フィットネスクラブによっては、来館している多くの利用者に対して、声掛けを実施するようにスタッフに指示しているところもある。声掛けの内容としては、例えば、利用者が現在、使用しているトレーニングマシンの効果的な使用方法を解説したり、利用者が関心を持っているトレーニング方法を解説したりというような内容が挙げられる。また、このような声掛けによって、フィットネスクラブで販売している商品の利用者への購入を促進することも可能であり、フィットネスクラブにとっての利益は大きい。
【先行技術文献】
【特許文献】
【０００６】
【特許文献１】特許第３８７８１２５号公報
【発明の概要】
【発明が解決しようとする課題】
【０００７】
しかしながら、来館している利用者数が少ない場合は、スタッフは全利用者に声掛けを行うことができるが、来館している利用者数が増大した場合は、全利用者をケアすることは困難である。また、来館している利用者数が少ない場合であっても、スタッフは声掛け以外の仕事に従事しなければならないこともあり、この場合、全利用者をケアすることは困難である。
【０００８】
したがって、来館頻度が減少傾向にある利用者のみをピックアップして、声掛けを実行することが効果的であるが、このようなピックアップは、ベテランスタッフの経験や勘に頼るところが多い。
【０００９】
そのため、ベテランスタッフが声掛けする余裕がない場合や、ベテランスタッフが存在しないような場合は、来館頻度が減少傾向にある利用者に対して声掛けもれが発生する虞がある。そして、このような声掛けもれが連続して発生すると、当該利用者が退会する可能性を高めてしまう。
【００１０】
本発明の目的は、フィットネスクラブにより運営される施設のスタッフによる施設の利用者への声掛けを効率良く行い、利用者の退会抑制を図ることができる技術を提供することである。
【課題を解決するための手段】
【００１１】
（１）本発明の一局面による声掛け支援システムは、受付端末とサーバとスタッフ端末とが所定のネットワークを介して接続され、フィットネスクラブにより運営される施設のスタッフによる、フィットネスクラブの会員である施設の利用者への声掛けを支援する声掛け支援システムであって、前記受付端末は、施設の利用者が施設に来館したことを検出し、当該利用者が来館したことを示す来館情報を前記サーバに送信し、前記サーバは、各利用者の来館履歴を含む利用者情報を予め記憶する利用者情報記憶手段と、前記来館履歴に基づいて、来館頻度が減少傾向を示すほど値が高くなるように各利用者の優先度を定期的に算出し、前記利用者情報に書き込む優先度算出手段と、前記受付端末から送信された来館情報により示される利用者が、現在、来館中であることを示す来館中情報を前記利用者情報に書き込む利用者管理手段と、前記利用者情報に書き込まれた来館中情報を基に、現在、施設に来館している来館利用者を特定する特定手段と、前記来館利用者の中から優先度が高い順に規定人数の来館利用者を声掛け対象者として抽出する抽出手段と、前記抽出手段により抽出された声掛け対象者を示す声掛け対象者情報を生成し、前記スタッフ端末に送信する通信手段とを備え、前記スタッフ端末は、前記サーバから送信された声掛け対象者情報を基に、声掛け対象者をスタッフに報知する。
【００１２】
また、本発明の別の一局面による声掛け支援方法は、受付端末とサーバとスタッフ端末とが所定のネットワークを介して接続された声掛け支援システムを用いて、フィットネスクラブにより運営される施設のスタッフによる、フィットネスクラブの会員である施設の利用者への声掛けを支援する声掛け支援方法であって、前記サーバは、各利用者の来館履歴を含む利用者情報を予め記憶する利用者情報記憶手段を備え、前記受付端末が、施設の利用者が施設に来館したことを検出し、当該利用者が来館したことを示す来館情報を前記サーバに送信するステップと、前記サーバが、前記来館履歴に基づいて、来館頻度が減少傾向を示すほど値が高くなるように各利用者の優先度を定期的に算出し、前記利用者情報に書き込むステップと、前記サーバが、前記受付端末から送信された来館情報により示される利用者が、現在、来館中であることを示す来館中情報を前記利用者情報に書き込むステップと、前記サーバが、前記利用者情報に書き込まれた来館中情報を基に、現在、施設に来館している来館利用者を特定するステップと、前記サーバが、前記来館利用者の中から優先度が高い順に規定人数の来館利用者を声掛け対象者として抽出するステップと、前記サーバが、前記抽出ステップにより抽出された声掛け対象者を示す声掛け対象者情報を生成し、前記スタッフ端末に送信するステップと、前記スタッフ端末が、前記サーバから送信された声掛け対象者情報を基に、声掛け対象者をスタッフに報知するステップとを備えている。
【００１３】
これらの構成によれば、施設の利用者が来館すると、受付端末により来館情報がサーバに送信され、送信された来館情報により示される利用者が、現在、来館中であることを示す来館中情報が利用者情報に書き込まれる。また、利用者情報には、来館頻度が減少傾向を示すほど値が高くなるように、来館履歴に基づいて定期的に算出された各利用者の優先度が書き込まれている。
【００１４】
そして、優先度が高い順に規定人数の来館利用者が声掛け対象者として抽出され、抽出された声掛け対象者を示す声掛け対象者情報がスタッフ端末に送信され、スタッフ端末により声掛け対象者がスタッフに報知される。
【００１５】
したがって、スタッフは、スタッフ端末を用いて来館頻度が減少傾向にあるために退会する可能性の高い来館利用者を認識することができる。また、優先度が高い順に規定人数の来館利用者が声掛け対象者としてピックアップされているため、優先度が高い来館利用者への声掛けもれが抑制され、スタッフは効率良く声掛けを実施することができる。
【００１６】
つまり、退会する可能性が高く、声掛けが必要な来館利用者のみがピックアップされているため、スタッフが声掛けにあまり時間を割けない状況下であっても、当該来館利用者に対して確実に声掛けを行うことが可能となり、退会する可能性の高い利用者がフィットネスクラブから退会することを抑制することができる。
【００１７】
（２）前記利用者情報は、前記利用者の顔の画像データを含み、前記抽出手段は、顔の画像データが前記利用者情報に含まれている来館利用者の中から、前記声掛け対象者を抽出し、前記通信手段は、各来館利用者の顔の画像データを前記声掛け対象者情報に含ませて前記スタッフ端末に送信し、前記スタッフ端末は、前記声掛け対象者を顔の画像と併せてスタッフに報知することが好ましい。
【００１８】
この構成によれば、声掛け対象者が顔の画像と併せて報知されるため、スタッフは声掛け対象者の顔を認識することが可能となり、施設内に存在する声掛け対象者を速やかに発見することができ、声掛けを円滑に実行することができる。また、そもそも仮に、顔の画像データが蓄積されていない利用者が声掛け対象者として抽出されても、スタッフが名前のみでその対象者を特定することは多くの場合、困難であるため、その確認のために負荷、時間を要するよりも、既に顔の画像データが蓄積されており、確実に声掛けできる利用者を抽出する方が効率的な対応が可能となる。
【００１９】
（３）来館利用者により所持され、当該来館利用者の識別情報を送信する近接無線装置と、前記施設内の所定の位置に配置され、前記近接無線装置から送信される識別情報を受信することで、近傍にいる来館利用者を検出する複数の検出装置とを更に備え、前記サーバは、ある来館利用者を検出した検出装置が設置されている施設内の位置によって、当該来館利用者の現在位置を特定する位置特定手段を更に備え、前記抽出手段は、前記位置特定手段により現在位置が特定された来館利用者の中から、前記声掛け対象者を抽出し、前記通信手段は、各声掛け対象者の位置情報を前記声掛け対象者情報に含ませて前記スタッフ端末に送信し、前記スタッフ端末は、前記声掛け対象者を現在位置と併せてスタッフに報知することが好ましい。
【００２０】
この構成によれば、施設内には複数の検出装置がそれぞれ所定の位置に設置されているため、サーバは、各来館利用者を検出した検出装置の設置位置から、各来館利用者の現在位置を特定することができる。そして、サーバは、現在位置を特定することができた来館利用者の中から声掛け対象者を抽出しているため、スタッフ端末は、現在位置を特定することができた来館利用者のみを声掛け対象者としてスタッフに報知することができる。
【００２１】
よって、スタッフは声掛け対象者の現在位置を認識して、声掛け対象者を速やかに発見することができ、声掛けを円滑に実施することができる。
【００２２】
なお、検出装置は、既存の施設環境を利用することも可能である。すなわち、運動者が携行するトランスポンダの情報を認識する検出装置が設けられたトレーニング装置が施設内に複数配置され、且つ各トレーニング装置が施設内のサーバに対してネット接続されており、運動者の運動結果等をサーバに送信するネットワーク環境が既に構築されたフィットネスジム等も存在する。この場合は、現在、個々のトレーニング装置を利用している運動者が誰であるかを特定することができるので、もし、声掛け対象者がトレーニング装置を利用している場合は、その情報をスタッフに報知することによって、迅速な声掛けの対応を図ることができる。
【００２３】
（４）前記抽出手段は、施設に来館してからの時間が規定時間以内の来館利用者の中から、前記声掛け対象者を抽出することが好ましい。
【００２４】
この構成によれば、施設に来館してからの時間が規定時間以内の来館利用者が声掛け対象者として抽出されているため、無駄のない声掛けを行なうことができる。具体的には、来館からの時間に関係なく全ての声掛け対象者が抽出されている場合に生じ得る、以下のような状況を回避できる。すなわち、利用者が施設を利用する時間は、個人差もあるものの、概ね１時間以内というケースが多く、スタッフが声掛け対象者として抽出されているリストに基づいてある対象者に声掛けに行っても、その対象者が来館してから１時間以上経過している場合は、既に退館のためにシャワールームに向かっている等のためジム内には不在で、無駄足になる可能性がある。そこで、声掛け対象者を、来館してから例えば１時間以内の利用者に限定すれば、スタッフの無駄な対応を回避することができる。
【００２５】
（５）前記スタッフ端末は、ある声掛け対象者に対して声掛けを実施したことを示す操作指示がスタッフから入力された場合、当該声掛け対象者に対して声掛けを実施したことを示す声掛け実施情報を前記サーバに送信し、前記優先度算出手段は、前記スタッフ端末から声掛け実施情報が送信された場合、前記声掛け実施情報により示される声掛け対象者の優先度を初期値に戻し、声掛けが実施されてから一定期間、優先度を算出しないことが好ましい。
【００２６】
この構成によれば、声掛けが実施された声掛け対象者は優先度が初期値に戻された後、一定期間、優先度が算出されないため、一部の利用者ばかりが声掛け対象者としてピックアップされることが防止され、全利用者を満遍なく声掛け対象者としてピックアップすることができる。その結果、声掛けもれが連続して発生することを抑制することが可能となり、効率良く声掛けを実施することができる。
【００２７】
（６）前記利用者情報は、各利用者の施設の利用目的を示す利用目的情報と、各利用者の年齢を示す年齢情報とを含み、前記通信手段は、前記声掛け対象者の利用目的情報及び年齢情報を前記声掛け対象者情報に含ませて前記スタッフ端末に送信し、前記スタッフ端末は、利用目的及び年齢の少なくともいずれか一方が、特定の条件を満たす声掛け対象者を抽出するための操作指示がスタッフから入力された場合、該当する声掛け対象者を抽出してスタッフに報知することが好ましい。
【００２８】
この構成によれば、スタッフは、声掛け対象者のうち、例えば、年齢が３０代の声掛け対象者、又は利用目的がダイエット目的である声掛け対象者というような、利用目的及び年齢の少なくともいずれか一方が特定の条件を満たす声掛け対象者のみをピックアップすることができる。そのため、特定の声掛け対象者をターゲットとするようなキャンペーンや商品を声掛け時に声掛け対象者に通知することができ、声掛けを円滑に進めることができる。
【００２９】
（７）前記スタッフ端末は、ある声掛け対象者に対して声掛けを実施したことを示す操作指示がスタッフから入力される際に、次回の来館時にも声掛けを実施することを示す操作指示が入力された場合、次回の来館時に声掛けを実施することを示す次回声掛け実施情報を前記声掛け実施情報に含ませて前記サーバに送信し、前記利用者管理手段は、前記声掛け実施情報に次回声掛け実施情報が含まれている場合、当該次回声掛け実施情報を前記利用者情報に書き込み、前記抽出手段は、前記次回声掛け実施情報が前記利用者情報に含まれている来館利用者を、優先度にかかわらず前記声掛け対象者として抽出することが好ましい。
【００３０】
この構成によれば、スタッフが声掛けを実施した際に、次回も声掛けが必要であると判断した声掛け対象者は、次回の来館時も声掛け対象者としてピックアップされることになる。そのため、スタッフは、声掛けを実施したときに、退会する可能性が高いと察知した声掛け対象者については、次回の来館時に声掛けを実施することが可能となり、当該声掛け対象者をきめ細かくケアすることができ、退会抑制を図ることができる。
【００３１】
また、スタッフは、声掛け対象者がある商品に興味を持っていることが声掛けにより判明した場合、当該声掛け対象者が次に来館したときに、再度、声掛けを行い、興味をもっている商品を提示することで、当該商品の販売促進を図ることができる。
【００３２】
（８）前記スタッフ端末は、次回の声掛け対象者を抽出する操作指示がスタッフから入力された場合、当該声掛け対象者を抽出してスタッフに報知することが好ましい。
【００３３】
この構成によれば、スタッフは、前回、声掛けされた声掛け対象者を、前回、声掛けがされていない声掛け対象者と区別して認識することができ、一部の利用者に声掛けが集中し、他の利用者に声掛けもれが発生すること防止することができる。
【００３４】
（９）前記優先度算出手段は、会員登録されてから第１の規定日数が経過していない利用者については、前記優先度の算出日が登録日に近いほど優先度を高く設定する第１のパラメータと、前回の施設の来館日からの日数が第２の規定日数を経過している利用者については、経過日数が増大するにつれて優先度を高く設定する第２のパラメータと、先月の施設の利用回数が所定回数未満の利用者については、先月の利用回数が少ないほど優先度を高く設定する第３のパラメータと、先月の施設の利用回数が先々月の施設の利用回数よりも少ない利用者については、先々月の施設の利用回数が少ないほど優先度を高く設定する第４のパラメータとのうち、少なくともいずれか２つのパラメータの値を重み付け加算して前記優先度を算出することが好ましい。
【００３５】
この構成によれば、種々のパラメータを重み付け加算することで、優先度が算出されているため、種々の要素を考慮に入れて優先度を算出することができる。
【発明の効果】
【００３６】
本発明によれば、フィットネスクラブにより運営される施設のスタッフによる施設の利用者への声掛けを効率良く行い、利用者の退会抑制を図ることができる
【図面の簡単な説明】
【００３７】
【図１】本発明の実施の形態による声掛け支援システムの全体構成図を示している。
【図２】図１に示す受付端末のブロック図である。
【図３】来館情報のデータ構造の一例を示す図である。
【図４】図１に示すサーバのブロック図である。
【図５】利用者情報のデータ構造の一例を示した図である。
【図６】（Ａ）は、第１〜第４のパラメータを纏めた表を示し、（Ｂ）は、優先度の算出処理を示している。
【図７】検出装置から送信される検出信号のデータ構造の一例を示した図である。
【図８】声掛け対象者情報のデータ構造の一例を示した図である。
【図９】図１に示すスタッフ端末のブロック図を示している。
【図１０】声掛け実施情報のデータ構造の一例を示した図である。
【図１１】本発明の実施の形態による声掛け支援システムの動作を示すフローチャートである。
【図１２】報知画像の一例を示した画面図である。
【図１３】ある声掛け対象者の詳細なデータを示す報知画像の一例を示した図である。
【図１４】サーバが優先度を算出する際の処理を示すフローチャートである。
【図１５】スタッフ端末における抽出処理を示すフローチャートである。
【図１６】スタッフ端末が声掛け実施情報を送信する際のスタッフ端末及びサーバの処理を示すフローチャートである。
【発明を実施するための形態】
【００３８】
以下、図面を参照しつつ本発明の一実施の形態による声掛け支援システムについて説明する。図１は、本発明の実施の形態による声掛け支援システムの全体構成図を示している。本声掛け支援システムは、例えば、会員制のフィットネスクラブが運営する施設に設置され、受付端末１、サーバ２、スタッフ端末３、表示装置４、トレーニングマシン５、スタジオゲート６、及びトランスポンダ７（近接無線装置の一例）を備えている。
【００３９】
トレーニングマシン５及びスタジオゲート６は、それぞれ、検出装置５１を備えている。受付端末１〜表示装置４、及び検出装置５１は、例えば、ＬＡＮ（Local Area Network)等の通信回線を介して相互に通信可能に接続されている。
【００４０】
ＬＡＮとしては、例えば１００ＢＡＳＥ−ＴＸ等の有線のＬＡＮを採用してもよいし、ＩＥＥＥ８０２．１１等の無線ＬＡＮを採用してもよい。
【００４１】
受付端末１は、例えば施設の利用者が施設に来館したことを検出し、当該利用者が来館したことを通知するための来館情報をサーバ２に送信する。サーバ２は、声掛け支援システムの全体を管理する。スタッフ端末３は、声掛け対象者をスタッフに報知する。表示装置４は、例えば、施設内に１又は複数個設置され、施設に来館している来館利用者に対するスタッフからのお知らせ等を表示する。
【００４２】
トレーニングマシン５は、レッグチェア、エアロバイク、又はウオーキングマシン等の種々のトレーニングマシンである。なお、図１では、２台のトレーニングマシン５しか示していないが、これに限定されず、２０台、３０台というように、種々の台数のトレーニングマシンを採用することができる。そして、各トレーニングマシン５は、検出装置５１を備えている。検出装置５１は、例えばTransferJetやNFC（Near Field Communications）等の近接無線通信により、トランスポンダ７から送信されるトランスポンダ７を装着した来館利用者の識別情報を受信し、検出信号をＬＡＮを介してサーバ２に送信する装置である。
【００４３】
スタジオゲート６は、エアロビクス教室、太極拳教室、ヨガ教室等が実施されるスタジオの入り口に設けられ、当該スタジオに入室する来館利用者を検出するための装置である。
【００４４】
トランスポンダ７は、来館利用者の例えば手首に装着され、装着した来館利用者の識別情報を近接無線通信により送信する。来館利用者は、トランスポンダ７を検出装置５１にかざすことで、識別情報を検出装置５１に送信する。
【００４５】
図２は、図１に示す受付端末１のブロック図である。受付端末１は、一般的なコンピュータにより構成され、ＩＣカードリーダ１１、制御部１２、通信部１３、表示部１４、及び操作部１５を備えている。ＩＣカードリーダ１１は、来館時に利用者により提示される例えばＩＣカードからなる会員カードに記憶された識別情報を読み取る。ここで、識別情報は、利用者のそれぞれに対して一意的に割り付けられた記号列により構成されている。
【００４６】
具体的には、来館時に利用者からスタッフに会員カードが手渡され、スタッフが会員カードをＩＣカードリーダ１１にかざすと、ＩＣカードリーダ１１は識別情報を読み取る。
【００４７】
制御部１２は、ＣＰＵ、ＲＯＭ、ＲＡＭ等から構成され、受付端末１の全体制御を司る。特に、本実施の形態では、制御部１２は、ＩＣカードリーダ１１により識別情報が読み取られると、識別情報を有する来館利用者が来館したことを通知するための来館情報を生成し、通信部１３を制御して、サーバ２に送信する。
【００４８】
図３は、来館情報のデータ構造の一例を示す図である。図３に示すように、来館情報は、識別情報及び来館時刻を含んでいる。識別情報としては、例えばＩＣカードリーダに記録されている識別情報を採用することができ、来館時刻としては、例えばＩＣカードリーダ１１が会員カードから識別情報を読み取った時刻を採用することができる。
【００４９】
一方、制御部１２は、スタッフにより操作部１５を用いてある入館利用者が退館したことを示す操作指示が入力された場合、当該入館利用者が退館したことを示す退館情報を生成し、通信部１３を制御して、サーバ２に送信する。
【００５０】
通信部１３は、ＬＡＮの通信プロトコルに準拠した通信回路により構成され、制御部１２の制御の下、種々のデータをＬＡＮに送信する。本実施の形態では、特に、来館情報を送信する。
【００５１】
表示部１４は、例えば液晶表示パネル等の表示装置により構成され、制御部１２の下、種々の画像を表示する。操作部１５は、キーボード、マウス等の入力装置により構成され、例えばスタッフにより入力され、入館利用者が退館したことを示す操作指示を受け付ける。
【００５２】
図４は、図１に示すサーバ２のブロック図である。サーバ２は、一般的なコンピュータにより構成され、制御部２１、記憶部２２、及び通信部２３（通信手段の一例）を備えている。制御部２１は、ＣＰＵ、ＲＯＭ、ＲＡＭ等により構成され、利用者管理部２１１、優先度算出部２１２、特定部２１３、抽出部２１４、位置特定部２１５、及び通信制御部２１６（通信手段の一例）の機能を備えている。これらの機能は、ＣＰＵが例えばハードディスクドライブに記憶されたサーバプログラムを実行することで実現される。
【００５３】
利用者管理部２１１は、図５に示す利用者情報を管理するものであり、来館情報及び退館情報に基づいて、利用者情報に含まれる来館履歴を生成する処理等を行う。
【００５４】
また、利用者管理部２１１は、受付端末１から送信された来館情報により示される利用者が、現在、来館中であることを示す来館中情報を、利用者情報記憶部２２１に記憶された図５に示す利用者情報の来館中の項目に書き込む。
【００５５】
また、利用者管理部２１１は、受付端末１から退館情報が送信されると、退館情報により示される利用者における利用者情報の来館中の項目に利用者が退館したことを示す来館中情報を書き込むことで、当該利用者が退館したことを記録する。
【００５６】
また、利用者管理部２１１は、ある声掛け対象者に対して声掛けを実施したことを示す操作指示がスタッフによりスタッフ端末３に入力され、当該声掛け対象者に声掛けを実施したことを示す声掛け実施情報がスタッフ端末３から送信され、当該声掛け実施情報に次回も声掛けが必要であることを示す次回声掛け実施情報が含まれている場合、当該次回声掛け実施情報を利用者情報に書き込む。
【００５７】
図５は、利用者情報のデータ構造の一例を示した図である。利用者情報は、フィットネスクラブに会員登録し、施設を利用する権限を有している各利用者に関する情報を記録するものである。なお、図５では、説明の便宜上、Ａさん、Ｂさん、Ｃさんの３名の利用者の利用者情報しか示されていないが、実際には数百名、又は数千名というような膨大な数の利用者についての利用者情報が含まれている。
【００５８】
利用者情報としては、氏名、識別情報、目的、年齢、声掛け実施履歴、来館中、現在位置、顔、次回声掛け、優先度、入会日、及び来館履歴等の項目が含まれている。氏名の項目には、利用者の氏名が格納されている。識別情報は、上述した会員カードに記録されている識別情報が格納されている。
【００５９】
目的の項目には、利用者がフィットネスクラブに入会した主な目的を示す利用目的情報が格納され、例えば、ダイエット目的である場合はダイエット、筋肉増強が目的である場合は筋トレ、水泳が目的である場合は水泳というような利用目的情報が格納されている。
【００６０】
年齢の項目には、各利用者の年齢を示す年齢情報が格納されている。声掛け実施履歴の項目には、スタッフが過去に声掛けを実施した声掛け履歴が格納されている。声掛け履歴としては、例えば、声掛けを実施した年月日、声掛けを実施したスタッフの名前、及び声掛け内容等が含まれている。
【００６１】
来館中の項目には、現在、利用者が施設に来館中であるか否かを示す来館中情報が格納されている。図５の例では、来館中である場合は、例えば○の来館中情報が格納され、来館中でない場合は、例えば×の来館中情報が格納されている。現在位置の項目には、来館利用者の施設における現在位置を示す位置情報が格納されている。
【００６２】
顔の項目には、利用者の顔の画像データが格納されている。なお、利用者によっては、顔の画像データをフィットネスクラブに届け出ていない者も存在する。このような利用者については、顔の画像データは、利用者情報に格納されていない。
【００６３】
次回声掛けの項目には、次の来館時にスタッフが声掛けを行う必要用があるか否かを示す次回声掛け実施情報が格納されている。図５の例では、次回に声掛けが必要である利用者については、例えば○の次回声掛け実施情報が格納され、次回に声掛けが不要である利用者については、例えば×の次回声掛け実施情報が格納されている。
【００６４】
優先度の項目には、優先度算出部２１２により定期的に算出される優先度が格納されている。入会日の項目には、利用者がフィットネスクラブに入会した年月日を示す情報が格納されている。来館履歴の項目には、利用者が施設に来館した日時を示す来館履歴が格納されている。図５の例では、利用者が施設に来館した、年、月、日、入館時刻、及び退館時刻が格納されている。
【００６５】
図４に戻り、優先度算出部２１２は、利用者情報に含まれる来館履歴に基づいて、来館頻度が減少傾向を示すほど値が高くなるように各利用者の優先度を定期的に算出し、利用者情報の優先度の項目に書き込む。ここで、優先度算出部２１２は、例えば１日周期というように定期的に優先度を算出し、算出した優先度で、現在の優先度の値を更新すればよい。なお、定期的に優先度を算出する時刻としては、例えば、午前０時というような一定の時刻を採用することができる。
【００６６】
具体的には、優先度算出部２１２は、下記に示す第１〜第４のパラメータを重み付け加算することで優先度を算出する。図６（Ａ）は、第１〜第４のパラメータを纏めた表を示し、図６（Ｂ）は、優先度の算出処理を示している。
【００６７】
第１のパラメータＢ１は、図６（Ａ）の１行目に示すように、会員登録されてから第１の規定日数（例えば６０日）が経過していない利用者については、優先度の算出日が登録日に近いほど優先度を高く設定するパラメータである。具体的には、第１のパラメータＢ１は、Ｂ１＝１００＊（６０−（本日−入会日））／６０で表される。つまり、本日＝入会日の場合、Ｂ１＝１００となり、以後、本日が増大するにつれて、Ｂ１は減少し、本日−入会日＝６０日の場合、Ｂ１＝０となる。
【００６８】
第２のパラメータＢ２は、図６（Ａ）の２行目に示すように、前回の施設の来館日からの日数が第２の規定日数（例えば１４日）を経過している利用者については、経過日数が増大するにつれて優先度を高く設定するパラメータである。
【００６９】
具体的には、第２のパラメータＢ２は、Ｂ２＝（（本日−前回来館日）−１４）＊６で表される。つまり、本日−前回来館日＝１４日の場合、Ｂ２＝０となり、以後、本日と前回来館日との差が増大するにつれて、Ｂ２は増大していく。但し、Ｂ２が１００を超えた場合、Ｂ２は１００に丸め込まれ、１００を超えることはない。
【００７０】
第３のパラメータＢ３は、図６（Ａ）の３行目に示すように、先月の施設の利用回数が所定回数未満の来館利用者については、先月の利用回数が少ないほど優先度を高く設定するパラメータである。具体的には、第３のパラメータＢ３は、先月の来館数が０回の場合、Ｂ３＝１００とされ、先月の来館数が１回の場合、Ｂ３＝６０とされ、先月の来館数が２回の場合、Ｂ３＝４０とされるというように、先月の来館数が少ないほど大きな値が設定される。なお、先月とは、優先度の算出日である本日が属する月よりも１つ前の月のことを指す。
【００７１】
第４のパラメータＢ４は、図６（Ａ）の４行目に示すように、先月の施設の利用回数が先々月の施設の利用回数よりも少ない施設利用者については、先々月の施設の利用回数が少ないほど優先度を高く設定するパラメータである。
【００７２】
具体的には、第４のパラメータＢ４は、先々月の来館回数−先月の来館回数が３回以上の場合、Ｂ４＝１００とされ、２回の場合、Ｂ４＝６０とされ、１回の場合、Ｂ４＝４０とされる。
【００７３】
そして、優先度算出部２１２は、第１〜第４のパラメータＢ１〜Ｂ４をそれぞれに対応する重み値Ａ１〜Ａ４を用いて重み付け加算して、優先度を算出する。具体的には、図６（Ｂ）に示す数式を用いて優先度ＰＶを算出する。
【００７４】
ＰＶ＝（Ａ１＊Ｂ１＋Ａ２＊Ｂ２＋Ａ３＊Ｂ３＋Ａ４＊Ｂ４）／（Ａ１＋Ａ２＋Ａ３＋Ａ４）
なお、分子をＡ１＋Ａ２＋Ａ３＋Ａ４で割っているのは、優先度ＰＶを正規化して１００以下の値にするためである。また、本実施の形態では、重み値Ａ１〜Ａ４として、それぞれ、Ａ１＝４、Ａ２＝３、Ａ３＝２、Ａ４＝１が採用されているが、これは一例にすぎず、他の値を採用してもよいし、重み値の順番もＡ１〜Ａ４の順に小さくなるように設定しなくてもよい。
【００７５】
ここで、ＰＶの最大値は、（４００＋３００＋２００＋１００）／（４＋３＋２＋１）＝１００となる。そのため、ＰＶは１００を超えない。
【００７６】
図４に戻り、優先度算出部２１２は、ある声掛け対象者に対して声掛けを実施したことを示す操作指示がスタッフからスタッフ端末３に入力され、当該声掛け対象者に対して声掛けを実施したことを示す声掛け実施情報がスタッフ端末３から送信された場合、声掛け実施情報により示される声掛け対象者の優先度を初期値に戻し、声掛けが実施されてから一定期間、優先度を算出しない。ここで、初期値としては、例えば０を採用することができ、一定期間として、例えば２週間を採用することができる。
【００７７】
これにより、声掛けが実施された声掛け対象者は優先度が初期値に戻された後、一定期間、優先度が算出されないため、一部の利用者ばかりが声掛け対象者としてピックアップされることが防止され、全利用者を満遍なく声掛け対象者としてピックアップすることができる。その結果、声掛けもれが連続して発生することを抑制することが可能となり、効率良く声掛けを実施することができる。
【００７８】
特定部２１３は、利用者情報に書き込まれた来館中情報を基に、現在、施設に来館している来館利用者を特定する。具体的には、特定部２１３は、図５に示す来館中の項目に、○の来館中情報が格納されている利用者は来館利用者であると判定する。
【００７９】
抽出部２１４は、来館利用者の中から優先度が高い順に規定人数の来館利用者を声掛け対象者として抽出する。ここで、声掛け対象者とは、来館利用者のうち、スタッフが声掛けを行うことが好ましい来館利用者のことを指す。また、規定人数としては、例えば１０人を採用するが、これは、一例に過ぎず、施設の規模、スタッフの人数等により適宜好ましい値を採用すればよい。なお、抽出部２１４は、来館利用者数が１０名に満たない場合は、全来館利用者を声掛け対象者として抽出すればよい。
【００８０】
ここで、抽出部２１４は、顔の画像データが利用者情報の顔の項目に格納されている来館利用者の中から、優先度が高い順に規定人数の来館利用者を声掛け対象者として抽出する。これにより、声掛け対象者が顔の画像と併せて報知されるため、スタッフは声掛け対象者の顔を認識することが可能となり、施設内に存在する声掛け対象者を速やかに発見することができ、声掛けを円滑に実行することができる。
【００８１】
また、抽出部２１４は、位置特定部２１５により現在位置が特定された来館利用者の中から、優先度が高い順に規定人数の来館利用者を声掛け対象者として抽出する。これにより、スタッフは声掛け対象者の現在位置を認識して、声掛け対象者を速やかに発見することができ、声掛けを円滑に実施することができる。
【００８２】
また、抽出部２１４は、施設に来館してからの時間が規定時間以内の来館利用者中から、優先度が高い順に規定人数の来館利用者を声掛け対象者として抽出する。ここで、規定時間としては、例えば１時間を採用することができる。これにより、スタッフが声掛けを実施しようとしたときに声掛け対象者が退館しているような事態が発生することを抑制することが可能となり、声掛けもれを防止することができる。
【００８３】
また、抽出部２１４は、次回に声掛けを実施する必要があるとスタッフにより判断された来館利用者を、優先度にかかわらず声掛け対象者として抽出する。この場合、抽出部２１４は、図５に示す次回声掛けの項目に○の次回声掛け実施情報が格納されている来館利用者を優先度にかかわらず声掛け対象者として抽出すればよい。
【００８４】
位置特定部２１５は、ある来館利用者を検出した検出装置５１が設置されている施設内の位置によって、当該来館利用者の現在位置を特定し、特定した現在位置を示す位置情報を利用者情報の現在位置の項目に書き込む。
【００８５】
ここで、検出装置５１は、トレーニングマシン５又はスタジオゲート６に取り付けられ、来館利用者によりトランスポンダ７がかざされたときにトランスポンダ７から送信された識別情報を取得し、識別情報を含む検出信号を生成し、サーバ２に送信する。
【００８６】
図７は、検出装置５１から送信される検出信号のデータ構造の一例を示した図である。図７に示すように、検出信号は、識別情報と検出装置番号とを含む。識別情報は、検出装置５１がトランスポンダ７から受信した識別情報である。
【００８７】
検出装置番号としては、各検出装置５１について一意的に割り付けられた記号列が採用され、具体的には、トレーニングマシン５に取り付けられた検出装置５１においては、トレーニングマシン５に対して付与された機器名称が採用され、スタジオゲート６に取り付けられた検出装置５１においては、スタジオゲートに対応するスタジオの名称が採用されている。
【００８８】
ここで、トレーニングマシン５、及びスタジオゲート６は、それぞれ、施設内の所定の場所に設置されている。そのため、トレーニングマシン５の機器名称又はスタジオの名称が特定できれば、来館利用者の現在位置を特定することが可能となる。
【００８９】
したがって、位置特定部２１５は、検出装置５１から送信された検出信号に含まれる検出装置番号から検出信号に含まれる識別情報に係る来館利用者の現在位置を特定することができる。
【００９０】
なお、トレーニングマシン５に取り付けられた検出装置５１は、対応するトレーニングマシン５の入館利用者による利用が終了した場合、利用が終了したことを示す検出信号をサーバ２に送信する。また、スタジオゲート６に取り付けられた検出装置５１は、対応するスタジオゲート６から入館利用者が退室した場合、退室したことを示す検出信号をサーバ２に送信する。そして、位置特定部２１５は、トレーニングマシン５の利用が終了したことを示す検出信号が検出装置５１から送信された場合、又は、スタジオゲート６から退室したことを示す検出信号が検出装置５１から送信された場合、利用情報の現在位置の項目に書き込まれている位置情報を削除する。
【００９１】
通信制御部２１６は、抽出部２１４により抽出された声掛け対象者を示す声掛け対象者情報を生成し、通信部２３を制御してスタッフ端末３に送信する。図８は、声掛け対象者情報のデータ構造の一例を示した図である。
【００９２】
図８に示すように、声掛け対象者情報は、識別情報及び付随情報の項目を含む複数のレコードからなるデータ構造を有している。ここで、１つのレコードは１人の声掛け対象者毎に存在する。
【００９３】
識別情報の項目には、声掛け対象者として抽出された入館利用者の識別番号が格納されている。付随情報の項目には、各声掛け対象者についての付随情報が格納されている。
【００９４】
付随情報には、図５に示す各声掛け対象者の氏名、利用目的情報、年齢情報、声掛け実施履歴、顔の画像データ、及び位置情報等が含まれている。また、次回声掛け実施情報が○であるために抽出された声掛け対象者の付随情報については、次回の声掛けが必要であることを示す情報も格納されている。
【００９５】
具体的には、通信制御部２１６は、抽出部２１４により、声掛け対象者が抽出されると、図５に示す利用者情報から、氏名、利用目的情報、年齢情報、声掛け実施履歴、顔の画像データ、及び位置情報等を、付随情報に格納することで、声掛け対象者情報を生成する。
【００９６】
記憶部２２は、例えばハードディスクドライブにより構成され、利用者情報記憶部２２１を備えている。利用者情報記憶部２２１は、図５に示す利用者情報を記憶している。
【００９７】
図９は、図１に示すスタッフ端末３のブロック図を示している。スタッフ端末３は、一般的なコンピュータにより構成され、操作部３１、制御部３２、通信部３３、表示部３４、画像データ記憶部３５、及び声掛け対象者情報記憶部３６を備えている。
【００９８】
操作部３１はキーボード及びマウス等の入力装置により構成され、スタッフにより入力される種々の操作指示を受け付ける。制御部３２は、ＣＰＵ、ＲＯＭ、及びＲＡＭ等から構成され、通信制御部３２１、抽出部３２２、及び表示制御部３２３の機能を備えている。これらの機能は、コンピュータをスタッフ端末３として機能させるプログラムをＣＰＵが実行することで実現される。
【００９９】
通信制御部３２１は、サーバ２から送信された声掛け対象者情報が通信部３３により受信されると、この声掛け対象者情報を声掛け対象者情報記憶部３６に記憶させる。
【０１００】
また、通信制御部３２１は、ある声掛け対象者に対して声掛けを実施したことを示す操作指示が操作部３１を用いてスタッフから入力された場合、当該声掛け対象者に対して声掛けを実施したことを示す声掛け実施情報を生成し、通信部３３を制御して、サーバ２に送信する。
【０１０１】
ここで、通信制御部３２１は、ある声掛け対象者に対して声掛けを実施したことを示す操作指示がスタッフから入力される際に、次回の来館時にも声掛けを実施することを示す操作指示が操作部３１を用いて入力された場合、次回の来館時に声掛けを実施することを示す次回声掛け実施情報を、声掛け実施情報に含ませる。
【０１０２】
図１０は、声掛け実施情報のデータ構造の一例を示した図である。図１０に示すように声掛け実施情報は、識別情報、次回声掛け必要、声掛け内容、スタッフ名、及び実施時刻の項目が含まれている。識別情報の項目には、声掛けが実施された来館利用者の識別情報が格納される。次回声掛け必要の項目には、次回声掛け実施情報が格納される。図１０の例では、次回の来館時に声掛けを実施する必要がある場合は、例えば○の次回声掛け実施情報が格納され、次回の来館時に声掛けを実施する必要がない場合は、例えば×の次回声掛け実施情報が格納される。声掛け内容の項目には、声掛けの内容が格納される。スタッフ名の項目には声掛けを行ったスタッフの名前が格納される。実施時刻の項目には、声掛けを実施した時刻が格納される。
【０１０３】
抽出部３２２は、利用目的及び年齢の少なくともいずれか一方が、特定の条件を満たす声掛け対象者を抽出するための操作指示が操作部３１を用いてスタッフから入力された場合、該当する声掛け対象者を、声掛け対象者情報記憶部３６に記憶された声掛け対象者情報の中から抽出する。
【０１０４】
また、抽出部３２２は、次回に声掛けを実施する必要のある声掛け対象者を抽出する操作指示が操作部３１を用いてスタッフから入力された場合、声掛け対象者の中から、次回の声掛けが必要な声掛け対象者を抽出する。
【０１０５】
表示制御部３２３は、通信制御部３２１により声掛け対象者情報が声掛け対象者情報記憶部３６に記憶されると、この声掛け対象者情報により示される声掛け対象者をスタッフに報知するための報知画像の画像データを生成し、表示部３４に表示させる。
【０１０６】
ここで、表示制御部３２３は、声掛け対象者の顔の画像データを声掛け対象者情報から読み出し、報知画像に声掛け対象者の顔の画像が含まれるように、報知画像の画像データを生成する。
【０１０７】
また、表示制御部３２３は、声掛け対象者の位置情報を声掛け対象者情報から読み出し、報知画像に声掛け対象者の現在位置が示されるように報知画像の画像データを生成する。
【０１０８】
また、表示制御部３２３は、抽出部３２２により抽出された声掛け対象者をスタッフに報知するための報知画像の画像データを生成し、表示部３４に表示させる。
【０１０９】
通信部３３は、ＬＡＮの通信プロトコルに準拠した、通信回路により構成され、制御部３２の制御の下、種々のデータを送受信する。
【０１１０】
表示部３４は、例えば液晶表示パネル等の表示装置により構成され、制御部３２の制御の下、種々の画像を表示する。本実施の形態では、表示部３４は、特に、表示制御部３２３により生成された報知画像を表示する。
【０１１１】
画像データ記憶部３５は、表示制御部３２３が報知画像を生成する際に使用する画像データを予め記憶する。この画像データとしては、例えば、報知画像のレイアウトを示すレイアウト情報や、報知画像のフレームや報知画像に配置されるボタン等の画像データが含まれる。声掛け対象者情報記憶部３６は、サーバ２から送信された声掛け対象者情報を記憶する。
【０１１２】
次に、本声掛け支援システムの動作について説明する。図１１は、本発明の実施の形態による声掛け支援システムの動作を示すフローチャートである。
【０１１３】
まず、ステップＳ１において、受付端末１により会員カードからある来館利用者の識別情報が読み取られ、当該来館利用者の入館が受け付けられると（ステップＳ１でＹＥＳ）、受付端末１は、当該来館利用者が来館したことを示す来館情報（図３参照）を生成し、サーバ２に送信する（ステップＳ２）。
【０１１４】
一方、受付端末１により、来館利用者の入館が受け付けられない場合（ステップＳ１でＮＯ）、処理がステップＳ３に進められる。
【０１１５】
ステップＳ３において、受付端末１は、ある来館利用者が退館したことを示す操作指示がスタッフにより入力され、当該来館利用者の退館を受け付けると（ステップＳ３でＹＥＳ）、退館情報を生成し、サーバ２に送信し（ステップＳ４）、処理をステップＳ１に戻す。
【０１１６】
一方、受付端末１が来館利用者の退館を受け付けない場合（ステップＳ３でＮＯ）、処理がステップＳ４をスルーしてステップＳ１に戻される。
【０１１７】
つまり、受付端末１は、来館利用者が来館する毎に来館情報をサーバ２に送信し、来館利用者が退館する毎に退館情報をサーバ２に送信する。
【０１１８】
一方、検出装置５１は、ある来館利用者によりトランスポンダ７がかざされ、来館利用者を検出すると（ステップＳ５でＹＥＳ）、当該来館利用者の識別情報をトランスポンダ７から読み取り、検出信号をサーバ２に送信する（ステップＳ６）。また、検出装置５１は、ある来館利用者によるトレーニングマシン５の利用の終了を検出する、或いは、ある来館利用者によるスタジオゲート６からの退室を検出すると（ステップＳ５でＹＥＳ）、検出信号をサーバ２に送信する（ステップＳ６）。
【０１１９】
一方、ステップＳ５において、検出装置５１が何も検出しない場合（ステップＳ５でＮＯ）、処理がステップＳ５に戻される。
【０１２０】
次に、サーバ２は、来館情報、退館情報、又は検出信号のいずれかを受信すると（ステップＳ７でＹＥＳ）、利用者情報を更新する（ステップＳ８）。
【０１２１】
具体的には、サーバ２は、来館情報を受信した場合、当該来館情報により示される来館利用者の利用者情報の来館中の項目に○の来館中情報を書き込む。また、サーバ２は、退館情報を受信した場合、当該退館情報により示される来館利用者の利用者情報の来館中の項目に×の来館中情報を書き込む。このとき、サーバ２は、当該来館利用者の来館履歴も生成する。
【０１２２】
また、サーバ２は、来館利用者がトレーニングマシン５の利用の開始を示す検出信号又はスタジオゲート６に係るスタジオに入室したことを示す検出信号を検出装置５１から受信した場合、当該検出信号により示される来館利用者の来館情報の現在位置の項目に、検出装置５１の検出装置番号を当該来館利用者の位置情報として書き込む。
【０１２３】
また、サーバ２は、来館利用者がトレーニングマシン５の利用の終了を示す検出信号又はスタジオゲート６に係るスタジオから退室したことを示す検出信号を検出装置５１から受信した場合、当該検出信号により示される来館利用者の来館情報の現在位置の項目から、位置情報を削除する。
【０１２４】
次に、サーバ２は、利用者情報を参照することで、声掛け対象者を抽出する（ステップＳ９）。この場合、サーバ２は、顔の画像データが存在し、現在位置が特定され、かつ、入館時間が入館時刻から規定時間（例えば１時間）以内の来館利用者の中から、優先度が高い順に規定人数（例えば１０名）の来館利用者を、声掛け対象者として抽出する（ステップＳ９）。
【０１２５】
次に、サーバ２は、声掛け対象者として抽出した来館利用者の識別情報と付随情報とを対応付けて声掛け対象者情報を生成し、スタッフ端末３に送信する（ステップＳ１０）。なお、ここでは、サーバ２から声掛け対象者情報をスタッフ端末３に送信するようにしているが、スタッフ端末３からの送信要請に応じてサーバ２からスタッフ端末３に声掛け情報を送信するようにしてもよい。すなわち、スタッフが声掛け対象者を確認したいと思ったとき、あるいは現時点での最新の声掛け対象者情報を確認しようと思ったときに、スタッフ端末３からサーバ２に送信要請を行なうシステムとしてもよい。
【０１２６】
次に、スタッフ端末３は、声掛け対象者情報を受信する（ステップＳ１１）。次に、スタッフ端末３は、受信した声掛け対象者情報により示される声掛け対象者を報知するための報知画像を表示部３４に表示し、声掛け対象者をスタッフに報知する（ステップＳ１２）。
【０１２７】
図１２は、報知画像の一例を示した画面図である。図１２に示すように報知画像は、各声掛け対象者の顔のサムネイル画像が所定行×所定列で配列されている。また、各顔のサムネイル画像の例えば下側には、声掛け対象者の氏名が記載されている。ここで、最上行の最左列に向かうほど、声掛け対象者の優先度が高くなっている。つまり、この報知画像では、優先度が高い順に声掛け対象者がリスト表示されている。
【０１２８】
なお、図１２の表示態様は一例に過ぎず、最上段から最下段に向かうにつれて優先度が低くなるように声掛け対象者のサムネイル画像を１列でリスト表示してもよい。
【０１２９】
図１２に示す報知画像には、いずれかの声掛け対象者を選択するためのカーソルＫが表示されている。スタッフは、スタッフ端末３の操作部３１を操作することで、カーソルＫを上下左右に移動させ、所望の声掛け対象者の顔のサムネイル画像上にカーソルＫを位置決めして、図略の決定ボタンをクリックして、声掛け対象者を選択する。
【０１３０】
すると、スタッフ端末３は、図１３に示すように、スタッフが選択した１名の声掛け対象者の詳細なデータを示す報知画像を表示部３４に表示する。
【０１３１】
図１３は、ある声掛け対象者の詳細なデータを示す報知画像の一例を示した図である。図１３に示す報知画像の最上段には、現在の声掛け対象者の総数が記載されている。また、この総数が記載された欄の下側には、声掛け対象者の名前、性別、名前（英字）、年齢、及び声掛け対象者の画像をそれぞれ表示する欄が設けられている。なお、図１３に示す声掛け対象者は、優先度が最大の声掛け対象者であるため、「現在の声掛けの第１優先は下記の方です。」と記載されている。
【０１３２】
また、年齢の欄の下側には、入館時刻を示すチェックイン時間、現在位置を示す使用機器名、及び使用機器の使用開始時刻を示す使用開始時間の各欄が設けられている。
【０１３３】
また、図１３の右側の欄には、施設に設置されたトレーニングマシン５及びスタジオのレイアウト図が表示されている。そして、図１３に示す声掛け対象者が現在使用しているトレーニングマシン５である「電磁負荷マシン」の位置がカーソルＫＸにより、レイアウト図中に示されている。これにより、スタッフは、この声掛け対象者の現在位置を速やかに認識することができる。
【０１３４】
更に、図１３の報知画像の左側の欄には、前回来館からの経過日数、今月の来館回数を示す来館回数（今月）、先月の来館回数を示す来館回数（先月）、先々月の来館回数を示す来館回数（先々月）の各欄が設けられている。
【０１３５】
図１３の例では、前回来館からの経過日数の欄には「１」と記載され、この声掛け対象者は、昨日も来館していることが分かる。また、来館回数（今月）の欄には、「１０」と記載され、この声掛け対象者は、今月、１０回来館していることが分かる。また、来館回数（先月）の欄には、「１３」と記載され、この声掛け対象者は先月、１３回来館していることが分かる。また、来館回数（先々月）の欄には「１５」と記載され、この声掛け対象者は先々月、１５回来館していることが分かる。これらの情報からスタッフは、この声掛け対象者の来館頻度が減少傾向にあるか否かを速やかに認識することができる。
【０１３６】
また、図１３の左側の欄の中段には、声掛け内容の欄が設けられている。この声掛け内容の欄には、スタッフがこの声掛け対象者に対して行った過去の声掛け内容が記載されている。
【０１３７】
声掛け内容の欄の下側には、スタッフが、今回、声掛けを行ったことを入力するための声掛け結果の欄が設けられている。声掛け結果の欄には、声掛けを実行したスタッフの名前を記入する声掛けスタッフ、及び声掛け内容を記入する声掛け結果の各欄が設けられている。
【０１３８】
声掛けスタッフの欄にはプルダウンボタンが設けられており、このプルダウンボタンがクリックされると、スタッフの名前が一覧表示され、声掛けを行ったスタッフは一覧表示された名前の中から自身の名前をクリックすることで、声掛けスタッフの欄に自身の名前を入力することができる。
【０１３９】
また、声掛掛け結果の欄には、上下に２つの記入欄が設けられている。上側の記入欄にはプルダウンボタンが設けられており、このプルダウンボタンを押すと、声掛けによく使用される定型語句が一覧表示され、いずれかの定型語句を選択すると選択した定型語句が下側の記入欄に表示される。
【０１４０】
したがって、声掛けを行ったスタッフは、プルダウンメニューの中から定型語句を適宜選択しながら、必要に応じてキーボードを用いて文字を入力することで、下側の記入欄に声掛けの内容を入力していく。そして、登録ボタンがクリックされると、下側の記入欄に入力された文章が声掛け実施情報に格納されてサーバ２に送信され、サーバ２の利用者情報に書き込まれる。
【０１４１】
また、登録ボタンの右隣に設けられた次の人ボタンがクリックされると、スタッフ端末３は、図１３に示されている声掛け対象者の次に優先度の高い声掛け対象者についての詳細なデータを表示する。
【０１４２】
また、声掛け結果の欄には次回声掛けボタンが設けられている。声掛けを実施したスタッフは、その感触から、次回も声掛けを行った方が良いと判断した場合、この次回声掛けボタンをクリックする。すると、次回声掛け実施情報が声掛け実施情報に格納されてサーバ２に送信され、サーバ２の利用者情報に書き込まれる。
【０１４３】
図１４は、サーバ２が優先度を算出する際の処理を示すフローチャートである。まず、ステップＳ２１において、サーバ２は、優先度の算出時刻が到来したか否かを判定する（ステップＳ２１）。
【０１４４】
次に、サーバ２は、優先度の算出時刻が到来したと判定した場合（ステップＳ２１でＹＥＳ）、各利用者の優先度を算出する（ステップＳ２２）。一方、ステップＳ２１において、サーバ２は、優先度の算出時刻が到来していない場合（ステップＳ２１でＮＯ）、処理をステップＳ２１に戻す。
【０１４５】
つまり、サーバ２は、優先度の算出時刻が到来する毎に、利用者情報に格納された各利用者の優先度を算出する。なお、優先度の算出処理の詳細については上述した。
【０１４６】
次に、サーバ２は、算出した優先度で、利用者情報に現在格納されている優先度を更新し（ステップＳ２３）、処理をステップＳ２１に戻す。
【０１４７】
図１５は、スタッフ端末３における抽出処理を示すフローチャートである。まず、ステップＳ３１において、スタッフ端末３は、声掛かけ対象者の抽出条件を入力するためのスタッフによる操作指示を受け付けると（ステップＳ３１でＹＥＳ）、入力された抽出条件に該当する声掛け対象者を抽出する（ステップＳ３２）。ここで、抽出条件としては、例えば入会目的がダイエット、年齢が３０代、次回も声掛けが必要である声掛け対象者等が挙げられる。また、スタッフ端末３は、抽出条件に該当する声か掛け対象者を声掛け対象者情報記憶部３６に記憶された声掛け対象者情報を参照することで該当する声掛け対象者を抽出する。
【０１４８】
一方、スタッフ端末３は、抽出条件が入力されない場合（ステップＳ３１でＮＯ）、処理をステップＳ３１に戻す。
【０１４９】
次に、スタッフ端末３は、抽出した声掛け対象者を一覧表示する報知画像を表示部３４に表示する（ステップＳ３３）。この場合、スタッフ端末３は、例えば図１２に示すような報知画像を用いて抽出した声掛け対象者を一覧表示すればよい。
【０１５０】
図１６は、スタッフ端末３が声掛け実施情報を送信する際のスタッフ端末３及びサーバ２の処理を示すフローチャートである。
【０１５１】
まず、スタッフ端末３は、スタッフによりある声掛け対象者に対して声掛けを実施したことを示す操作指示が入力されると（ステップＳ４１でＹＥＳ）、声掛け実施情報を生成し、サーバ２に送信する（ステップＳ４２）。
【０１５２】
ここで、スタッフは、図１３に示す登録ボタンをクリックすることで操作指示を入力する。これにより、声掛け結果の欄の下側の記入欄に入力された声掛け内容が声掛け実施情報に含まれる。
【０１５３】
また、スタッフは、次回声掛け実施情報を声掛け実施情報に含ませたい場合は、図１３に示す次回声掛けボタンをクリックした後、登録ボタンをクリックする。これにより、声掛け実施情報には、次回声掛け実施情報が含まれる。
【０１５４】
一方、ステップＳ４１において、声掛けを実施したことを示す操作指示がスタッフにより入力されない場合（ステップＳ４１でＮＯ）、処理が終了される。
【０１５５】
ステップＳ４３において、サーバ２は、声掛け実施情報を受信する。次に、サーバ２は、声掛け実施情報に次回声掛け実施情報が含まれるか否かを判定し、次回声掛け実施情報が含まれる場合（ステップＳ４４でＹＥＳ）、次回声掛け実施情報を利用者情報の次回声掛けの項目に書き込む（ステップＳ４５）。
【０１５６】
一方、サーバ２は、声掛け実施情報に次回声掛け実施情報が含まれない場合（ステップＳ４４でＮＯ）、ステップＳ４５をスルーする。
【０１５７】
次に、サーバ２は、声掛け実施情報に含まれる声掛け内容及び声掛けを実施したスタッフの名前を声掛け実施時刻と対応付けて利用者情報の声掛け履歴の項目に書き込む（ステップＳ４６）。
【０１５８】
これにより、サーバ２は、声掛け実施情報に係る来館利用者に対して、優先度を算出する処理を一定期間停止する。
【０１５９】
このように、本実施の形態による声掛け実施システムによれば、施設の利用者が来館すると、受付端末１により来館情報がサーバ２に送信され、送信された来館情報により示される利用者が、現在、来館中であることを示す来館中情報が利用者情報に書き込まれる。また、利用者情報には、来館頻度が減少傾向を示すほど値が高くなるように、来館履歴に基づいて定期的に算出された各利用者の優先度が書き込まれている。
【０１６０】
そして、優先度が高い順に規定人数の来館利用者が声掛け対象者として抽出され、抽出された声掛け対象者を示す声掛け対象者情報がスタッフ端末３に送信され、スタッフ端末３により声掛け対象者がスタッフに報知される。
【０１６１】
したがって、スタッフは、スタッフ端末３を用いて来館頻度が減少傾向にあるために退会する可能性の高い来館利用者を認識することができる。また、優先度が高い順に規定人数の来館利用者が声掛け対象者としてピックアップされているため、優先度が高い来館利用者への声掛けもれが抑制され、スタッフは効率良く声掛けを実施することができる。
【０１６２】
つまり、退会する可能性が高く、声掛けが必要な来館利用者のみがピックアップされているため、スタッフが声掛けにあまり時間を割けない状況下であっても、当該来館利用者に対して確実に声掛けを行うことが可能となり、退会する可能性の高い利用者がフィットネスクラブから退会することを抑制することができる。
【符号の説明】
【０１６３】
１  受付端末
２  サーバ
３  スタッフ端末
２１１  利用者管理部
２１２  優先度算出部
２１３  特定部
２１４  抽出部
２１５  位置特定部
２１６  通信制御部
２２１  利用者情報記憶部
【図１】
0005399164.tif 000002
【図２】
0005399164.tif 000003
【図３】
0005399164.tif 000004
【図４】
0005399164.tif 000005
【図５】
0005399164.tif 000006
【図６】
0005399164.tif 000007
【図７】
0005399164.tif 000008
【図８】
0005399164.tif 000009
【図９】
0005399164.tif 000010
【図１０】
0005399164.tif 000011
【図１１】
0005399164.tif 000012
【図１２】
0005399164.tif 000013
【図１３】
0005399164.tif 000014
【図１４】
0005399164.tif 000015
【図１５】
0005399164.tif 000016
【図１６】
0005399164.tif 000017